【手続補正書】
【提出日】平成24年1月26日(2012.1.26)
【手続補正１】
【補正対象書類名】特許請求の範囲
【補正対象項目名】全文
【補正方法】変更
【補正の内容】
【特許請求の範囲】
【請求項１】
記憶媒体を個々に識別するための媒体識別情報に対応付けて遊技媒体の貸出に使用される遊技者所有の有価価値に相当する有価価値情報を管理する管理装置と、
前記記憶媒体の媒体識別情報を用いて前記管理装置と通信を行って遊技者所有の有価価値を特定し、該有価価値の範囲内で遊技媒体の貸出処理を行うことが可能な遊技装置と、
前記遊技装置から遊技に関する情報を収集して累積管理する情報収集装置と、を備え、
前記貸出処理の実行に伴って前記遊技装置から前記情報収集装置へ出力される第１の貸出情報に基づいて、前記情報収集装置が売上情報を更新するとともに、
前記貸出処理の実行に伴って前記遊技装置から前記管理装置へ出力される第２の貸出情報に基づいて、前記管理装置が前記有価価値情報を更新する遊技システムにおいて、
前記情報収集装置は、前記遊技装置からの前記第１の貸出情報の受信に基づき、当該遊技装置を識別可能となる価値更新用情報を前記管理装置へ通知可能であり、
前記遊技装置は、前記記憶媒体を受け付けた場合に、前記媒体識別情報を含む第１の状態情報を前記管理装置に送信する一方、前記記憶媒体の受け付けを解除した場合に、第２の状態情報を前記管理装置に送信する受付状態情報送信手段を備え、
前記管理装置は、
前記遊技装置からの前記第１の状態情報及び前記第２の状態情報の受信に基づき、前記遊技装置毎の記憶媒体の受付状態情報を更新記憶する受付状態情報更新記憶手段と、
前記遊技装置と通信が可能なオンライン状態であるか、前記遊技装置と通信が不可能なオフライン状態であるかを遊技装置ごとに検出する通信状態検出手段と、
前記記憶媒体の媒体識別情報に対応付けられた前記有価価値情報を更新する有価価値情報更新手段と、を備え、
前記有価価値情報更新手段は、
前記オンライン状態である遊技装置から前記第２の貸出情報を受信した場合に、当該遊技装置が受け付けている記憶媒体の媒体識別情報に対応する有価価値情報を更新し、
前記情報収集装置から前記オフライン状態である遊技装置に対応する価値更新用情報を通知された場合に、当該遊技装置がオンライン状態時に受け付けていた記憶媒体の媒体識別情報に対応する有価価値情報を更新することを特徴とする遊技システム。
【請求項２】
前記管理装置は、前記オフライン状態である遊技装置が検出された場合、当該オフライン状態である遊技装置に対応する前記価値更新用情報の要求を前記情報収集装置に送信する更新用情報要求送信手段を備え、
前記情報収集装置は、
前記管理装置から前記価値更新用情報の要求を受信した場合に、当該要求に対応する遊技装置を記憶する遊技装置記憶手段と、
前記遊技装置記憶手段が記憶した遊技装置から前記第１の貸出情報を受信した場合に、前記価値更新用情報を前記管理装置に送信する更新用情報送信手段と、を備えることを特徴とする請求項１に記載の遊技システム。
【請求項３】
前記管理装置は、
前記遊技装置からの前記第２の貸出情報の受信に基づいて、前記遊技装置ごとの累積貸出情報を更新記憶する累積貸出情報更新記憶手段と、
予め設定された要求条件の成立に基づき、前記情報収集装置に前記売上情報の送信を要求する売上情報要求手段と、を備え、
前記情報収集装置は、前記管理装置から前記売上情報の送信を要求されたことに基づいて、前記売上情報を前記管理装置に送信する売上情報送信手段を備え、
前記管理装置は、前記情報収集装置から送信された前記売上情報と前記累積貸出情報とに基づき、前記情報収集装置が管理する前記売上情報の正当性を判定する正当性判定手段を備え、
前記更新用情報要求送信手段は、前記オフライン状態である遊技装置が検出され、かつ、前記売上情報が正当であると判定された場合に、前記価値更新用情報の要求を前記情報収集装置へ送信することを特徴とする請求項２に記載の遊技システム。
【請求項４】
前記管理装置は、前記正当性判定手段による正当性の判定結果情報を前記遊技装置へ送信する正当性判定結果送信手段を備え、
前記遊技装置は、
貨幣を受け付け可能であって、
前記貨幣を受け付けた場合に当該貨幣の有価価値を特定する貨幣有価価値特定手段と、
前記管理装置との通信が可能なオンライン状態であるか、前記管理装置との通信が不可能なオフライン状態であるかを判定する通信状態判定手段と、を備え、
前記通信状態判定手段によって前記オフライン状態であると判定され、かつ、前記判定結果情報が正当でないとの判定結果である場合には、前記記憶媒体から特定された有価価値による貸出処理を禁止し、前記受け付けた貨幣の有価価値分の遊技媒体を貸し出す貸出処理を行うことを特徴とする請求項３に記載の遊技システム。
【請求項５】
前記遊技装置は、
前記通信状態判定手段によって前記オフライン状態であると判定され、かつ、前記判定結果情報が正当であるとの判定結果である場合には、現在受け付けている記憶媒体が前記オフライン状態が発生したときに受け付けていた記憶媒体であれば、当該記憶媒体から特定された有価価値による貸出処理を行うことを特徴とする請求項４に記載の遊技システム。
【請求項６】
前記管理装置は、前記オフライン状態である遊技装置が検出された場合に、当該遊技装置が前記記憶媒体を受け付けているか否かを前記受付状態情報に基づいて判定する記憶媒体受付判定手段を備え、
前記更新用情報要求送信手段は、前記オフライン状態である遊技装置が前記記憶媒体を受け付けている場合に、前記価値更新用情報の要求を前記情報収集装置に送信することを特徴とする請求項２から請求項５のいずれか一つに記載の遊技システム。
【請求項７】
前記管理装置は、前記オフライン状態であった遊技装置が前記オンライン状態に復帰した場合に、当該遊技装置に対応する前記価値更新用情報の送信停止要求を前記情報収集装置へ送信する更新用情報送信停止要求送信手段を備え、
前記情報収集装置は、前記管理装置から前記送信停止要求を受信した場合に、当該送信停止要求に対応する遊技装置を前記遊技装置記憶手段から削除する遊技装置記憶削除手段を備えることを特徴とする請求項２から請求項６のいずれか一つに記載の遊技システム。
【請求項８】
前記遊技装置は、
貨幣を受け付け可能であって、
前記貨幣を受け付けた場合に当該貨幣の有価価値を特定する有価価値特定手段と、
前記特定した貨幣の有価価値を特定可能な第１の貨幣受付情報を前記情報収集装置へ出力するとともに、前記特定した貨幣の有価価値を特定可能な第２の貨幣受付情報を前記管理装置へ送信する貨幣受付情報送信手段と、を備え、
前記情報収集装置は、前記遊技装置からの前記第１の貨幣受付情報の受信に基づき、当該遊技装置を識別可能となる入金情報を前記管理装置へ通知可能であり、
前記有価価値情報更新手段は、
前記オンライン状態である遊技装置から前記第２の貨幣受付情報を受信した場合に、当該遊技装置が受け付けている記憶媒体の媒体識別情報に対応する有価価値情報を更新し、
前記情報収集装置から前記オフライン状態である遊技装置に対応する入金情報を通知された場合に、当該遊技装置がオンライン状態時に受け付けていた記憶媒体の媒体識別情報に対応する有価価値情報を更新することを特徴とする請求項１から請求項７のいずれか一つに記載の遊技システム。
【手続補正２】
【補正対象書類名】明細書
【補正対象項目名】００１０
【補正方法】変更
【補正の内容】
【００１０】
第１の発明は、記憶媒体を個々に識別するための媒体識別情報に対応付けて遊技媒体の貸出に使用される遊技者所有の有価価値に相当する有価価値情報を管理する管理装置と、前記記憶媒体の媒体識別情報を用いて前記管理装置と通信を行って遊技者所有の有価価値を特定し、該有価価値の範囲内で遊技媒体の貸出処理を行うことが可能な遊技装置と、前記遊技装置から遊技に関する情報を収集して累積管理する情報収集装置と、を備え、前記貸出処理の実行に伴って前記遊技装置から前記情報収集装置へ出力される第１の貸出情報に基づいて、前記情報収集装置が前記売上情報を更新するとともに、前記貸出処理の実行に伴って前記遊技装置から前記管理装置へ出力される第２の貸出情報に基づいて、前記管理装置が前記有価価値情報を更新する遊技システムにおいて、前記情報収集装置は、前記遊技装置からの前記第１の貸出情報の受信に基づき、当該遊技装置を識別可能となる価値更新用情報を前記管理装置へ通知可能であり、前記遊技装置は、前記記憶媒体を受け付けた場合に、前記媒体識別情報を含む第１の状態情報を前記管理装置に送信する一方、前記記憶媒体の受け付けを解除した場合に、第２の状態情報を前記管理装置に送信する受付状態情報送信手段を備え、前記管理装置は、前記遊技装置からの前記第１の状態情報及び前記第２の状態情報の受信に基づき、前記遊技装置毎の記憶媒体の受付状態情報を更新記憶する受付状態情報更新記憶手段と、前記遊技装置と通信が可能なオンライン状態であるか、前記遊技装置と通信が不可能なオフライン状態であるかを遊技装置ごとに検出する通信状態検出手段と、前記記憶媒体の媒体識別情報に対応付けられた前記有価価値情報を更新する有価価値情報更新手段と、を備え、前記有価価値情報更新手段は、前記オンライン状態である遊技装置から前記第２の貸出情報を受信した場合に、当該遊技装置が受け付けている記憶媒体の媒体識別情報に対応する有価価値情報を更新し、前記情報収集装置から前記オフライン状態である遊技装置に対応する価値更新用情報を通知された場合に、当該遊技装置がオンライン状態時に受け付けていた記憶媒体の媒体識別情報に対応する有価価値情報を更新することを特徴とする。
【手続補正３】
【補正対象書類名】明細書
【補正対象項目名】００１１
【補正方法】変更
【補正の内容】
【００１１】
第２の発明は、前記管理装置は、前記オフライン状態である遊技装置が検出された場合、当該オフライン状態である遊技装置に対応する前記価値更新用情報の要求を前記情報収集装置に送信する更新用情報要求送信手段を備え、前記情報収集装置は、前記管理装置から前記価値更新用情報の要求を受信した場合に、当該要求に対応する遊技装置を記憶する遊技装置記憶手段と、前記遊技装置記憶手段が記憶した遊技装置から前記第１の貸出情報を受信した場合に、前記価値更新用情報を前記管理装置に送信する更新用情報送信手段と、を備えることを特徴とする。
【手続補正４】
【補正対象書類名】明細書
【補正対象項目名】００１２
【補正方法】変更
【補正の内容】
【００１２】
第３の発明は、前記管理装置は、前記遊技装置からの前記第２の貸出情報の受信に基づいて、前記遊技装置ごとの累積貸出情報を更新記憶する累積貸出情報更新記憶手段と、予め設定された要求条件の成立に基づき、前記情報収集装置に前記売上情報の送信を要求する売上情報要求手段と、を備え、前記情報収集装置は、前記管理装置から前記売上情報の送信を要求されたことに基づいて、前記売上情報を前記管理装置に送信する売上情報送信手段を備え、前記管理装置は、前記情報収集装置から送信された前記売上情報と前記累積貸出情報とに基づき、前記情報収集装置が管理する前記売上情報の正当性を判定する正当性判定手段を備え、前記更新用情報要求送信手段は、前記オフライン状態である遊技装置が検出され、かつ、前記売上情報が正当であると判定された場合に、前記価値更新用情報の要求を前記情報収集装置へ送信することを特徴とする。
【手続補正５】
【補正対象書類名】明細書
【補正対象項目名】００１３
【補正方法】変更
【補正の内容】
【００１３】
第４の発明は、前記管理装置は、前記正当性判定手段による正当性の判定結果情報を前記遊技装置へ送信する正当性判定結果送信手段を備え、前記遊技装置は、貨幣を受け付け可能であって、前記貨幣を受け付けた場合に当該貨幣の有価価値を特定する貨幣有価価値特定手段と、前記管理装置との通信が可能なオンライン状態であるか、前記管理装置との通信が不可能なオフライン状態であるかを判定する通信状態判定手段と、を備え、前記通信状態判定手段によって前記オフライン状態であると判定され、かつ、前記判定結果情報が正当でないとの判定結果である場合には、前記記憶媒体から特定された有価価値による貸出処理を禁止し、前記受け付けた貨幣の有価価値分の遊技媒体を貸し出す貸出処理を行うことを特徴とする。
【手続補正６】
【補正対象書類名】明細書
【補正対象項目名】００１４
【補正方法】変更
【補正の内容】
【００１４】
第５の発明は、前記遊技装置は、前記通信状態判定手段によって前記オフライン状態であると判定され、かつ、前記判定結果情報が正当であるとの判定結果である場合には、現在受け付けている記憶媒体が前記オフライン状態が発生したときに受け付けていた記憶媒体であれば、当該記憶媒体から特定された有価価値による貸出処理を行うことを特徴とする。
【手続補正７】
【補正対象書類名】明細書
【補正対象項目名】００１５
【補正方法】変更
【補正の内容】
【００１５】
第６の発明は、前記管理装置は、前記オフライン状態である遊技装置が検出された場合に、当該遊技装置が前記記憶媒体を受け付けているか否かを前記受付状態情報に基づいて判定する記憶媒体受付判定手段を備え、前記更新用情報要求送信手段は、前記オフライン状態である遊技装置が前記記憶媒体を受け付けている場合に、前記価値更新用情報の要求を前記情報収集装置に送信することを特徴とする。
【手続補正８】
【補正対象書類名】明細書
【補正対象項目名】００１６
【補正方法】変更
【補正の内容】
【００１６】
第７の発明は、前記管理装置は、前記オフライン状態であった遊技装置が前記オンライン状態に復帰した場合に、当該遊技装置に対応する前記価値更新用情報の送信停止要求を前記情報収集装置へ送信する更新用情報送信停止要求送信手段を備え、前記情報収集装置は、前記管理装置から前記送信停止要求を受信した場合に、当該送信停止要求に対応する遊技装置を前記遊技装置記憶手段から削除する遊技装置記憶削除手段を備えることを特徴とする。
【手続補正９】
【補正対象書類名】明細書
【補正対象項目名】００１７
【補正方法】変更
【補正の内容】
【００１７】
第８の発明は、前記遊技装置は、貨幣を受け付け可能であって、前記貨幣を受け付けた場合に当該貨幣の有価価値を特定する有価価値特定手段と、前記特定した貨幣の有価価値を特定可能な第１の貨幣受付情報を前記情報収集装置へ出力するとともに、前記特定した貨幣の有価価値を特定可能な第２の貨幣受付情報を前記管理装置へ送信する貨幣受付情報送信手段と、を備え、前記情報収集装置は、前記遊技装置からの前記第１の貨幣受付情報の受信に基づき、当該遊技装置を識別可能となる入金情報を前記管理装置へ通知可能であり、前記有価価値情報更新手段は、前記オンライン状態である遊技装置から前記第２の貨幣受付情報を受信した場合に、当該遊技装置が受け付けている記憶媒体の媒体識別情報に対応する有価価値情報を更新し、前記情報収集装置から前記オフライン状態である遊技装置に対応する入金情報を通知された場合に、当該遊技装置がオンライン状態時に受け付けていた記憶媒体の媒体識別情報に対応する有価価値情報を更新することを特徴とする。
【手続補正１０】
【補正対象書類名】明細書
【補正対象項目名】００３３
【補正方法】変更
【補正の内容】
【００３３】
カードユニット６は、所定数の遊技媒体が貸し出された場合に貸出信号（第１の貸出情報）を情報収集端末装置３に出力し、カードユニット６に貨幣が投入された場合に投入された貨幣の有価価値を示す入金信号（第１の貨幣受付情報）を情報収集端末装置３に出力する。遊技機５は、遊技状態を示す各種遊技信号を情報収集端末装置３に出力する。
【手続補正１１】
【補正対象書類名】明細書
【補正対象項目名】０２００
【補正方法】変更
【補正の内容】
【０２００】
一方、ステップ１００１の処理で、確認要求タイミングでないと判定された場合、カード管理装置１７は、確認データ送信要求の応答である確認データを遊技場管理装置１から受信したか否かを判定する（１００３）。
【手続補正１２】
【補正対象書類名】明細書
【補正対象項目名】０２０１
【補正方法】変更
【補正の内容】
【０２０１】
ステップ１００３の処理で、遊技場管理装置１から確認データを受信していないと判定された場合、データ整合性確認処理を終了する。
【手続補正１３】
【補正対象書類名】明細書
【補正対象項目名】０２０２
【補正方法】変更
【補正の内容】
【０２０２】
一方、ステップ１００３の処理で、遊技場管理装置１から確認データを受信したと判定された場合、カード管理装置１７は、状態管理データベース７００の売上額７０３に登録された値と受信した確認データの売上額とが一致するか否かを、各遊技装置４ごとにチェックする（１００４）。